(57)【要約】【課題】空調システムにおいて、簡便な方法で、室内或いはゾーンの温度に応じて自由に冷房、暖房を行う。【解決手段】コイル１１と、ファン１２と、調節弁１３と、熱媒体供給管１４と、熱媒体排出管１５と、温度センサ１７と、調節弁１３を動作させるコントローラ１８と、を含むファンコイルユニット１０と、熱媒体供給装置２０と、温熱媒体送り管２２と、温熱媒体戻り管２３と、冷熱媒体送り管２６と、冷熱媒体戻り管２７と、第１遮断弁３１〜第４遮断弁３４と、制御部４０と、を備え、室内温度ＴＲが室内空気温度設定値ＴＳ２よりも低い場合には、第１、第２遮断弁３１，３２とを開とし、第３、第４遮断弁３３，３４を閉とし、室内温度ＴＲが室内空気温度設定値ＴＲ１よりも高い場合には、第３、第４遮断弁３３，３４を開とし、第１、第２遮断弁３１，３２を閉とする。【選択図】図１
2016211825.tif 000002
【特許請求の範囲】
【請求項１】
室内空気よりも温度の高い温熱媒体または室内空気よりも温度の低い冷熱媒体が内側に通流して外側を流れる室内空気との間で熱交換を行うコイルと、前記コイル外側に室内空気を流すファンと、前記コイル内側に通流する前記温熱媒体または前記低熱媒体の流量を調節する調節弁と、前記コイルに前記温熱媒体または前記冷熱媒体を供給する熱媒体供給管と、前記コイルから前記温熱媒体または前記冷熱媒体を排出させる熱媒体排出管と、室内空気温度を検出する温度センサと、前記温度センサで検出した室内空気温度に応じて前記調節弁を動作させるコントローラと、を含むファンコイルユニットと、
前記温熱媒体または前記冷熱媒体を供給する熱媒体供給装置と、
前記熱媒体供給装置から前記熱媒体供給管に前記温熱媒体を送る温熱媒体送り管と、前記熱媒体排出管から前記熱媒体供給装置に前記温熱媒体を戻す温熱媒体戻り管と、前記熱媒体供給装置から前記熱媒体供給管に前記冷熱媒体を送る冷熱媒体送り管と、前記熱媒体排出管から前記熱媒体供給装置に前記冷熱媒体を戻す冷熱媒体戻り管と、
前記温熱媒体送り管に配置される第１遮断弁と、
前記温熱媒体戻り管に配置される第２遮断弁と、
前記冷熱媒体送り管に配置される第３遮断弁と、
前記冷熱媒体戻り管に配置される第４遮断弁と、
前記コントローラから室内温度情報値を受信して、前記第１から第４の遮断弁を開閉動作する制御部と、
前記室内温度情報値が室内空気温度設定値よりも低い場合には、前記第１遮断弁と前記第２遮断弁とを開とし、前記第３遮断弁と前記第４遮断弁とを閉とし、
前記室内温度情報値が前記室内空気温度設定値よりも高い場合には、前記第３遮断弁と前記第４遮断弁とを開とし、前記第１遮断弁と前記第２遮断弁とを閉とする空調システム。
【請求項２】
請求項１に記載の空調システムであって、
前記制御部は、前記室内空気温度設定値を前記コントローラに送信し、
前記コントローラは、
前記温度センサで検出した室内温度が前記制御部から受信した前記室内空気温度設定値よりも低い場合には前記室内温度に応じて前記調節弁を動作させ、前記温度センサで検出した室内温度が前記制御部から受信した前記室内空気温度設定値よりも高い場合には前記調節弁を閉とする暖房モードと、
前記温度センサで検出した室内温度が前記制御部から受信した前記室内空気温度設定値よりも高い場合には前記室内温度に応じて前記調節弁を動作させ、前記温度センサで検出した室内温度が前記制御部から受信した前記室内空気温度設定値よりも低い場合には前記調節弁を閉とする冷房モードと、で動作可能であり、
前記制御部は、
前記第１遮断弁と前記第２遮断弁とを開とし、前記第３遮断弁と前記第４遮断弁とを閉とすると共に前記コントローラを前記暖房モードで動作させ、
前記第３遮断弁と前記第４遮断弁とを開とし、前記第１遮断弁と前記第２遮断弁とを閉とすると共に前記コントローラを前記冷房モードで動作させる空調システム。
【請求項３】
請求項１に記載の空調システムであって、
複数のファンコイルユニットを含み、
前記制御部は、複数のファンコイルユニットの各コントローラから各室内温度情報値を受信し、
前記各室内温度情報値の全てが前記室内空気温度設定値よりも低い場合には、前記第１遮断弁と前記第２遮断弁とを開とし、前記第３遮断弁と前記第４遮断弁とを閉とし、
前記各室内温度情報値の全てが前記室内空気温度設定値よりも高い場合には、前記第３遮断弁と前記第４遮断弁とを開とし、前記第１遮断弁と前記第２遮断弁とを閉とする空調システム
【請求項４】
請求項１に記載の空調システムであって、
複数のファンコイルユニットを含み、
前記制御部は、複数のファンコイルユニットの各コントローラから各室内温度情報値を受信し、
前記各室内温度情報値の平均値が前記室内空気温度設定値よりも低い場合には、前記第１遮断弁と前記第２遮断弁とを開とし、前記第３遮断弁と前記第４遮断弁とを閉とし、
前記各室内温度情報値の平均値が前記室内空気温度設定値よりも高い場合には、前記第３遮断弁と前記第４遮断弁とを開とし、前記第１遮断弁と前記第２遮断弁とを閉とする空調システム
【請求項５】
請求項１に記載の空調システムであって、
複数のファンコイルユニットを含み、
前記制御部は、複数のファンコイルユニットの各コントローラから各室内温度情報値を受信し、
前記各室内温度情報値の特定の１つが前記室内空気温度設定値よりも低い場合には、前記第１遮断弁と前記第２遮断弁とを開とし、前記第３遮断弁と前記第４遮断弁とを閉とし、
前記各室内温度情報値の特定の１つが前記室内空気温度設定値よりも高い場合には、前記第３遮断弁と前記第４遮断弁とを開とし、前記第１遮断弁と前記第２遮断弁とを閉とする空調システム
【請求項６】
請求項３ないし５のいずれか１項に記載の空調システムであって、
前記制御部は、前記室内空気温度設定値を前記各コントローラに送信し、
前記各コントローラは、
前記各温度センサで検出した各室内温度が前記制御部から受信した前記室内空気温度設定値よりも低い場合には前記各室内温度に応じて前記各調節弁を動作させ、前記各温度センサで検出した各室内温度が前記制御部から受信した前記室内空気温度設定値よりも高い場合には前記各調節弁を閉とする暖房モードと、
前記各温度センサで検出した各室内温度が前記制御部から受信した前記室内空気温度設定値よりも高い場合には前記各室内温度に応じて前記各調節弁を動作させ、前記各温度センサで検出した各室内温度が前記制御部から受信した前記室内空気温度設定値よりも低い場合には前記各調節弁を閉とする冷房モードと、で動作可能であり、
前記制御部は、
前記第１遮断弁と前記第２遮断弁とを開とし、前記第３遮断弁と前記第４遮断弁とを閉とすると共に前記各コントローラを全て前記暖房モードで動作させ、
前記第３遮断弁と前記第４遮断弁とを開とし、前記第１遮断弁と前記第２遮断弁とを閉とすると共に前記各コントローラを全て前記冷房モードで動作させる空調システム。
【発明の詳細な説明】
【技術分野】
【０００１】
本発明は、空調システム、特に、さまざまな事務所、店舗等が入居しているビルに用いられる空調システムの構造に関する。
【背景技術】
【０００２】
さまざまな事務所、店舗等が入居しているビルでは、各部屋、或いは各ゾーンにより任意に冷房、或いは暖房を切換えて空調が行えるように、各部屋或いは各ゾーンに配置したファンコイルユニットに送る熱媒体を冷水と温水との間で切換えることができるような空調システムが提案されている（例えば、特許文献１参照）。
【０００３】
特許文献１に記載されたシステムのファンコイルユニットは、熱媒体（温水または冷水）の入口管、熱媒体（温水または冷水）の排出管の２本の管を備える、いわゆる２管式ファンコイルユニットであり、ファンコイルユニットの熱媒体入口管に接続されている冷水送管、温水送管及びファンコイルユニットの冷媒排出管に接続されている冷水戻り管、温水戻り管にそれぞれ遮断弁を設けた空調システムである。そして、冷水送管と冷水戻り管に配置された各遮断弁を開として温水送管と温水戻り管に配置された各遮断弁を閉として冷水をファンコイルユニットに送水して冷房を行い、逆に、温水送管と温水戻り管に配置された各遮断弁を開として冷水送管と冷水戻り管に配置された各遮断弁を閉として温水をファンコイルユニットに送水して暖房を行うことにより冷房と暖房とを切換えるものである。
【０００４】
しかし、特許文献１に記載されたシステムは、手動で入力端末から各遮断弁の開閉入力を行うことが必要で、室温或いはゾーンの温度に応じて自由に冷房と暖房とを切換えることが難しいという問題があった。
【０００５】
一方、冷水が通流する冷水コイルと温水が通流する温水コイルの２つのコイルを備え、温水入口管、温水排出管、冷水入口管、冷水排出管の４本の管を備える、いわゆる４管式ファンコイルユニットも多く用いられている。この４管式ファンコイルユニットは、各ファンコイルユニット通流させる熱媒体を切換える必要が無いので、室内或いはゾーンの温度に応じて自由に冷房、暖房を行うことができる。しかし、４管式ファンコイルユニットを用いた空調システムでは、ファンコイルユニットが大型化することに加えて、冷凍機、ボイラ等の熱媒体供給装置とファンコイルユニットとの間に４本の管を配置する必要があることから設置コストが高くなってしまうという問題があった。
【先行技術文献】
【特許文献】
【０００６】
【特許文献１】特開平７-８３４４６号公報
【発明の概要】
【発明が解決しようとする課題】
【０００７】
そこで、本発明は、簡便な方法で、室内或いはゾーンの温度に応じて自由に冷房、暖房を行うことを目的とする。
【課題を解決するための手段】
【０００８】
本発明の空調システムは、室内空気よりも温度の高い温熱媒体または室内空気よりも温度の低い冷熱媒体が内側に通流して外側を流れる室内空気との間で熱交換を行うコイルと、前記コイル外側に室内空気を流すファンと、前記コイル内側に通流する前記温熱媒体または前記低熱媒体の流量を調節する調節弁と、前記コイルに前記温熱媒体または前記冷熱媒体を供給する熱媒体供給管と、前記コイルから前記温熱媒体または前記冷熱媒体を排出させる熱媒体排出管と、室内空気温度を検出する温度センサと、前記温度センサで検出した室内空気温度に応じて前記調節弁を動作させるコントローラと、を含むファンコイルユニットと、前記温熱媒体または前記冷熱媒体を供給する熱媒体供給装置と、前記熱媒体供給装置から前記熱媒体供給管に前記温熱媒体を送る温熱媒体送り管と、前記熱媒体排出管から前記熱媒体供給装置に前記温熱媒体を戻す温熱媒体戻り管と、前記熱媒体供給装置から前記熱媒体供給管に前記冷熱媒体を送る冷熱媒体送り管と、前記熱媒体排出管から前記熱媒体供給装置に前記冷熱媒体を戻す冷熱媒体戻り管と、前記温熱媒体送り管に配置される第１遮断弁と、前記温熱媒体戻り管に配置される第２遮断弁と、前記冷熱媒体送り管に配置される第３遮断弁と、前記冷熱媒体戻り管に配置される第４遮断弁と、前記コントローラから室内温度情報値を受信して、前記第１から第４の遮断弁を開閉動作する制御部と、前記室内温度情報値が室内空気温度設定値よりも低い場合には、前記第１遮断弁と前記第２遮断弁とを開とし、前記第３遮断弁と前記第４遮断弁とを閉とし、前記室内温度情報値が前記室内空気温度設定値よりも高い場合には、前記第３遮断弁と前記第４遮断弁とを開とし、前記第１遮断弁と前記第２遮断弁とを閉とする空調システム。
【０００９】
本発明の空調システムにおいて、前記制御部は、前記室内空気温度設定値を前記コントローラに送信し、前記コントローラは、前記温度センサで検出した室内温度が前記制御部から受信した前記室内空気温度設定値よりも低い場合には前記室内温度に応じて前記調節弁を動作させ、前記温度センサで検出した室内温度が前記制御部から受信した前記室内空気温度設定値よりも高い場合には前記調節弁を閉とする暖房モードと、前記温度センサで検出した室内温度が前記制御部から受信した前記室内空気温度設定値よりも高い場合には前記室内温度に応じて前記調節弁を動作させ、前記温度センサで検出した室内温度が前記制御部から受信した前記室内空気温度設定値よりも低い場合には前記調節弁を閉とする冷房モードと、で動作可能であり、前記制御部は、前記第１遮断弁と前記第２遮断弁とを開とし、前記第３遮断弁と前記第４遮断弁とを閉とすると共に前記コントローラを前記暖房モードで動作させ、前記第３遮断弁と前記第４遮断弁とを開とし、前記第１遮断弁と前記第２遮断弁とを閉とすると共に前記コントローラを前記冷房モードで動作させることとしても好適である。
【００１０】
本発明の空調システムにおいて、複数のファンコイルユニットを含み、前記制御部は、複数のファンコイルユニットの各コントローラから各室内温度情報値を受信し、前記各室内温度情報値の全てが前記室内空気温度設定値よりも低い場合には、前記第１遮断弁と前記第２遮断弁とを開とし、前記第３遮断弁と前記第４遮断弁とを閉とし、前記各室内温度情報値の全てが前記室内空気温度設定値よりも高い場合には、前記第３遮断弁と前記第４遮断弁とを開とし、前記第１遮断弁と前記第２遮断弁とを閉とすることとしても好適である。
【００１１】
本発明の空調システムにおいて、複数のファンコイルユニットを含み、前記制御部は、複数のファンコイルユニットの各コントローラから各室内温度情報値を受信し、前記各室内温度情報値の平均値が前記室内空気温度設定値よりも低い場合には、前記第１遮断弁と前記第２遮断弁とを開とし、前記第３遮断弁と前記第４遮断弁とを閉とし、前記各室内温度情報値の平均値が前記室内空気温度設定値よりも高い場合には、前記第３遮断弁と前記第４遮断弁とを開とし、前記第１遮断弁と前記第２遮断弁とを閉とすることとしても好適である。
【００１２】
本発明の空調システムにおいて、複数のファンコイルユニットを含み、前記制御部は、複数のファンコイルユニットの各コントローラから各室内温度情報値を受信し、前記各室内温度情報値の特定の１つが前記室内空気温度設定値よりも低い場合には、前記第１遮断弁と前記第２遮断弁とを開とし、前記第３遮断弁と前記第４遮断弁とを閉とし、前記各室内温度情報値の特定の１つが前記室内空気温度設定値よりも高い場合には、前記第３遮断弁と前記第４遮断弁とを開とし、前記第１遮断弁と前記第２遮断弁とを閉とすることとしても好適である。
【００１３】
本発明の空調システムにおいて、前記制御部は、前記室内空気温度設定値を前記各コントローラに送信し、前記各コントローラは、前記各温度センサで検出した各室内温度が前記制御部から受信した前記室内空気温度設定値よりも低い場合には前記各室内温度に応じて前記各調節弁を動作させ、前記各温度センサで検出した各室内温度が前記制御部から受信した前記室内空気温度設定値よりも高い場合には前記各調節弁を閉とする暖房モードと、前記各温度センサで検出した各室内温度が前記制御部から受信した前記室内空気温度設定値よりも高い場合には前記各室内温度に応じて前記各調節弁を動作させ、前記各温度センサで検出した各室内温度が前記制御部から受信した前記室内空気温度設定値よりも低い場合には前記各調節弁を閉とする冷房モードと、で動作可能であり、前記制御部は、前記第１遮断弁と前記第２遮断弁とを開とし、前記第３遮断弁と前記第４遮断弁とを閉とすると共に前記各コントローラを全て前記暖房モードで動作させ、前記第３遮断弁と前記第４遮断弁とを開とし、前記第１遮断弁と前記第２遮断弁とを閉とすると共に前記各コントローラを全て前記冷房モードで動作させることとしても好適である。
【発明の効果】
【００１４】
本発明は、簡便な方法で、室内或いはゾーンの温度に応じて自由に冷房、暖房を行うことができるという効果を奏する。
【図面の簡単な説明】
【００１５】
【図１】本発明の実施形態における空調システムの構成を示す系統図である。
【図２】本発明の実施形態における空調システムの調節弁の冷房モードの動作を示すグラフである。
【図３】本発明の実施形態における空調システムの調節弁の暖房モードの動作を示すグラフである。
【図４】本発明の他の実施形態における空調システムの構成を示す系統図である。
【発明を実施するための形態】
【００１６】
以下、本発明の実施形態について図面を参照しながら説明する。図１に示すように、本実施形態の空調システム１００は、熱媒体供給管１４と熱媒体排出管１５とを有する２管式のファンコイルユニット１０と、ファンコイルユニット１０のコントローラ１８とデータバス４１で接続されている制御部４０と、ボイラ２１と冷凍機２５とで構成され、温熱媒体または冷熱媒体を供給する熱媒体供給装置２０とを備えている。図１に示す実施形態では、ファンコイルユニット１０は、ビル内の各部屋、或いは各ゾーンに一つずつ設置されるが、後で説明する他の実施形態のように複数配置されるようにしてもよい。
【００１７】
熱媒体供給装置２０とファンコイルユニット１０とは、熱媒体供給装置２０のボイラ２１から熱媒体供給管１４に温熱媒体を送る温熱媒体送り管２２と、熱媒体排出管１５から熱媒体供給装置２０のボイラ２１に温熱媒体を戻す温熱媒体戻り管２３と、熱媒体供給装置２０の冷凍機２５から熱媒体供給管１４に冷熱媒体を送る冷熱媒体送り管２６と、熱媒体排出管１５から熱媒体供給装置２０の冷凍機２５に冷熱媒体を戻す冷熱媒体戻り管２７とで接続されている。また、温熱媒体送り管２２、温熱媒体戻り管２３、冷熱媒体送り管２６、冷熱媒体戻り管２７にはそれぞれ第１遮断弁３１〜第４遮断弁３４が配置されている。各遮断弁３１〜３４は、電動弁であり、制御部４０によって開閉される。
【００１８】
図１に示すように、ファンコイルユニット１０は、室内空気よりも温度の高い温熱媒体または室内空気よりも温度の低い冷熱媒体が内側に通流して外側を流れる室内空気との間で熱交換を行うコイル１１と、コイル１１の外側に室内空気を流すファン１２と、コイル１１の内側に通流する温熱媒体または低熱媒体の流量を調節する調節弁１３と、コイル１１に温熱媒体または冷熱媒体を供給する熱媒体供給管１４と、コイル１１から記温熱媒体または冷熱媒体を排出させる熱媒体排出管１５と、室内空気温度を検出する温度センサ１７と、コントローラ１８と、を備えている。調節弁１３、ファン１２はコントローラ１８に接続され、コントローラ１８の指令によって動作する。また、温度センサ１７は、コントローラ１８に接続され、検出した室内温度のデータをコントローラ１８に入力する。コントローラ１８はデータバス４１で制御部４０と接続され、温度センサ１７で検出した室内温度情報値ＴＲや図示しない別の装置より入力される室内温度設定値ＴＳ１，ＴＳ２を相互に送受信する。
【００１９】
コントローラ１８は、温度センサ１７で検出した室内温度ＴＲと制御部４０から受信した室内温度設定値ＴＳ１，ＴＳ２に基づいて調節弁１３を図２、図３に示すように動作させる冷房モードと暖房モードとを備えている。
【００２０】
冷房モードは、図２に示すように、温度センサ１７で検出した室内温度ＴＲが制御部４０から受信した室内温度設定値ＴＳ１（冷房用設定値）よりも高くなると（ＴＲ≧ＴＳ１）、室内温度設定値ＴＳ１から温度Ｔ１までの間は、室内温度ＴＲに比例して弁開度を０％（全閉）〜１００％（全開）まで変化させ、室内温度ＴＲが温度Ｔ１以上となると弁開度を１００％（全開）に保持する。また、温度センサ１７で検出した室内温度ＴＲが室内温度設定値ＴＳ１よりも低い場合（ＴＲ＜ＴＳ１）には、弁開度を０％（全閉）状態に保つ。暖房モードは、図３に示すように、温度センサ１７で検出した室内温度ＴＲが制御部４０から受信した室内温度設定値ＴＳ２（暖房用設定値）よりも低くなると（ＴＲ≦ＴＳ２）、室内温度設定値ＴＳ２から温度Ｔ２までの間は、室内温度ＴＲに比例して弁開度を０％（全閉）〜１００％（全開）まで変化させ、室内温度ＴＲが温度Ｔ２以下となると弁開度を１００％（全開）に保持する。また、温度センサ１７で検出した室内温度ＴＲが室内温度設定値ＴＳ２よりも高い（ＴＲ＞ＴＳ２）場合には、弁開度を０％（全閉）状態に保つ。なお、室内温度設定値ＴＳ１と室内温度設定値ＴＳ２とは自由に設定することができるが、室内温度設定値ＴＳ１（冷房用設定値）と室内温度設定値ＴＳ２（暖房用設定値）との間には、動作モードのハンチングを防止するように、温度差ΔＴＳを設ける。この温度差ΔＴＳの間は、いずれのモードでも調節弁１３の開度は０％に維持される。
【００２１】
以上のように構成された空調システム１００の動作について説明する。先に説明したように、図示しない他の装置から制御部４０に室内温度設定値ＴＲ１，ＴＲ２が入力されている。この室内温度設定値ＴＲ１，ＴＲ２は、データバス４１を介してファンコイルユニット１０のコントローラ１８に入力されている。また、温度センサ１７で検出した室内温度ＴＲは、コントローラ１８に入力され、この室内温度ＴＲの情報値（室内温度情報値）はデータバスを介して制御部４０に入力されている。
【００２２】
今、室内温度設定値が図２に示す室内温度設定値ＴＳ１（冷房用設定値）で、温度センサ１７で検出した室内温度ＴＲがＴＳ１よりも高い場合（ＴＲ≧ＴＳ１）、制御部４０は、コントローラ１８を冷房モードで動作させる。また、制御部４０は、第１、第２遮断弁３１，３２を閉とし、第３、第４遮断弁３３，３４を開とする。これにより、冷凍機２５からの冷熱媒体（冷水）が［冷凍機２５→冷熱媒体送り管２６→第３遮断弁３３→熱媒体供給管１４→調節弁１３→コイル１１→熱媒体排出管１５→第４遮断弁３４→冷熱媒体戻り管２７→冷凍機２５］と流れ、ファン１２によってコイル１１の外側に流れる空気が冷却され、室内の冷房が行われる。その後、調節弁１３の開度は温度センサ１７で検出した室内温度ＴＲが高くなるにつれて大きくなっていく。一方、温度センサ１７で検出した室内温度ＴＲが低下し、室内温度設定値ＴＳ１（冷房用設定値）よりも低くなった場合には、制御部４０は、コントローラ１８の冷房モードでの動作を継続する。
【００２３】
そして、更に温度センサ１７で検出した室内温度ＴＲが低下し、図３に示す室内温度設定値ＴＳ２（暖房用設定値）となった場合（ＴＲ≦ＴＳ２）、制御部４０は、コントローラ１８を冷房モードから暖房モードに切り替える。また、制御部４０は、第１、第２遮断弁３１，３２を開とし、第３、第４遮断弁３３，３４を閉とする。これにより、ボイラ２１からの温熱媒体（温水）が［ボイラ２１→温熱媒体送り管２２→第１遮断弁３１→熱媒体供給管１４→調節弁１３→コイル１１→熱媒体排出管１５→第２遮断弁３２→温熱媒体戻り管２３→ボイラ２１］と流れ、ファン１２によってコイル１１の外側に流れる空気が温められ、室内の暖房が行われる。その後、調節弁１３の開度は温度センサ１７で検出した室内温度ＴＲが低くなるにつれて大きくなっていく。
【００２４】
このように、本実施形態の空調システム１００では、温度センサ１７で検出した室内温度ＴＲが室内温度設定値ＴＳ１（冷房用設定値）よりも高くなった場合、制御部４０は、コントローラ１８を冷房モードに切り替えると共に第１、第２遮断弁を閉として第３、第４遮断弁を開として冷熱媒体がコイル１１に通流するように制御する。また、同様、温度センサ１７で検出した室内温度が室内温度設定値ＴＳ２（暖房用設定値）よりも高くなった場合、制御部４０は、コントローラ１８を暖房モードに切り替えると共に第１、第２遮断弁を開として第３、第４遮断弁を閉として温熱媒体がコイル１１に通流するように制御する。このため、本実施形態の空調システム１００では、コントローラ１８の動作モードと通流する熱媒体の種類のマッチングを図ることができ、スムースに冷房、暖房の切換えを行うことができる。
【００２５】
以上、室内温度ＴＲが低下してくる場合の動作について説明したが、室内温度ＴＲが上昇してくる場合の動作は、暖房モードと冷房モードが逆になるだけで、同様の動作であるから説明は省略する。
【００２６】
以上説明した実施形態の空調システム１００は、温度センサ１７で検出した室内温度に応じてコントローラ１８の動作を冷房モードと暖房モードで変更すると共に、第１遮断弁３１〜第４遮断弁３４を開閉させてコイル１１に供給する冷媒を冷熱媒体と温熱媒体と間で切換えるので、室内或いはゾーンの温度に応じて自由に冷房、暖房を行うことができるという効果を奏する。
【００２７】
また、以上説明した実施形態では、コントローラ１８と制御部４０と別の制御装置として説明したが、同一の機能を果たす制御装置であれば、１つの制御装置に纏めてもよい。
【００２８】
次に、図４を参照しながら、本発明の他の実施形態の空調システム２００について説明する。この実施形態は、一つの室或いはゾーンに対して２つのファンコイルユニット１０ａ，１０ｂを備えるものである。ファンコイルユニット１０ａを構成する要素には符号ａを最後に記載し、ファンコイルユニット１０ｂを構成する要素には符号ｂを最後に記載する。また、図１〜３を参照して説明した要素と同様の要素には同様の符号を付して説明は省略する。
【００２９】
図４に示すように、各ファンコイルユニット１０ａ，１０ｂはそれぞれ温度センサ１７ａ，１７ｂと、コントローラ１８ａ，１８ｂと調節弁１３ａ，１３ｂを備えている。また、各コントローラ１８ａ，１８ｂはデータバス４１によって相互に接続されると共に制御部４０とも接続されている。温熱媒体送り管２２は、各ファンコイルユニット１０ａ，１０ｂの各熱媒体供給管１４ａ，１４ｂに接続され、温熱媒体戻り管２３は、各ファンコイルユニット１０ａ，１０ｂの各熱媒体排出管１５ａ，１５ｂに接続されている。また、同様に、冷熱媒体送り管２６は、各ファンコイルユニット１０ａ，１０ｂの各熱媒体供給管１４ａ，１４ｂに接続され、冷熱媒体戻り管２７は、各ファンコイルユニット１０ａ，１０ｂの各熱媒体排出管１５ａ，１５ｂに接続されている。
【００３０】
以上のように構成された空調システム２００の動作について説明する。先に説明したように、図示しない他の装置から制御部４０に室内温度設定値ＴＳ１，ＴＳ２が入力されている。この室内温度設定値ＴＳ１，ＴＳ２は、データバス４１を介してファンコイルユニット１０ａ，１０ｂのコントローラ１８ａ，１８ｂに入力されている。また、温度センサ１７ａ，１７ｂで検出した各室内温度ＴＲａ，ＴＲｂは、コントローラ１８ａ，１８ｂに入力され、各室内温度の情報値はデータバスを介して制御部４０に入力されている。
【００３１】
図４に示すように、本実施形態の空調システム２００では、２つのファンコイルユニット１０ａ，１０ｂに対して、温熱媒体送り管２２、温熱媒体戻り管２３、冷熱媒体送り管２６、冷熱媒体戻り管２７、第１遮断弁３１から第４遮断弁３４は共通であるから、２つのファンコイルユニット１０ａ，１０ｂには同時に異なる熱媒体を通流されることができない。つまり、一方のファンコイルユニット１０ａに冷熱媒体を流し、他方のファンコイルユニット１０ｂに温熱媒体を流すことはできない構成となっている。このため、複数の温度センサ１７ａ，１７ｂで検出した室内温度ＴＲａ，ＴＲｂが異なる場合、制御部４０は、各コントローラ１８ａ，１８ｂ及び各遮断弁３１〜３４を以下に説明するように動作させる。
【００３２】
まず、制御部４０は、室内温度ＴＲａ，ＴＲｂの両方とも室内温度設定値ＴＳ１（冷房用設定値）よりも高い場合（ＴＲａ≧ＴＳ１及びＴＲｂ≧ＴＳ１）には、コントローラ１８ａ，１８ｂを共に冷房モードで動作させる。また、先に説明した実施形態と同様、制御部４０は、第１、第２遮断弁３１，３２を閉とし、第３、第４遮断弁３３，３４を開とする。これにより、冷凍機２５からの冷熱媒体（冷水）が［冷凍機２５→冷熱媒体送り管２６→第３遮断弁３３→熱媒体供給管１４ａ，１４ｂ→調節弁１３ａ，１３ｂ→コイル１１ａ，１１ｂ→熱媒体排出管１５→第４遮断弁３４→冷熱媒体戻り管２７→冷凍機２５］と流れ、ファン１２ａ，１２ｂによってコイル１１ａ，１１ｂの外側に流れる空気が冷却され、室内の冷房が行われる。
【００３３】
また、制御部４０は、室内温度ＴＲａ，ＴＲｂの両方とも室内温度設定値ＴＳ２（暖房用設定値）よりも低い場合（ＴＲａ≦ＴＳ２及びＴＲｂ≦ＴＳ２）には、コントローラ１８ａ，１８ｂを共に暖房モードで動作させる。また、先に説明した実施形態と同様、制御部４０は、第１、第２遮断弁３１，３２を開とし、第３、第４遮断弁３３，３４を閉とする。これにより、ボイラ２１からの温熱媒体（温水）が［ボイラ２１→温熱媒体送り管２２→第１遮断弁３１→熱媒体供給管１４ａ，１４ｂ→調節弁１３ａ，１３ｂ→コイル１１ａ，１１ｂ→熱媒体排出管１５→第２遮断弁３２→温熱媒体戻り管２３→ボイラ２１］と流れ、ファン１２ａ，１２ｂによってコイル１１ａ，１１ｂの外側に流れる空気が温められ、室内の暖房が行われる。
【００３４】
また、制御部４０は、室内温度ＴＲａ，ＴＲｂに差がある場合には、次の２つの方法でコントローラ１８ａ，１８ｂと調節弁１３ａ，１３ｂとを動作させる。まず、第１の方法は、各室内温度ＴＲａ，ＴＲｂの平均値を計算し、平均室内温度ＴＲｍを２つのファンコイルユニット１０ａ，１０ｂが配置されている室或いはゾーンの代表温度であるとして、コントローラ１８ａ，１８ｂの動作モードの設定、各遮断弁３１〜３４の切換えを行う。例えば、室内温度ＴＲａが室内温度設定値ＴＳ１（冷房用設定値）よりも高く、室内温度ＴＲｂが室内温度設定値ＴＳ１（冷房用設定値）よりも低く、平均室内温度Ｔｍが室内温度設定値ＴＳ１（冷房用設定値）よりも高い場合、制御部４０は、ファンコイルユニット１０ａ，１０ｂの各コントローラ１８ａ，１８ｂを共に冷房モードで動作させると共に、第１遮断弁３１，第２遮断弁３２を閉、第３遮断弁３３、第４遮断弁３４を開として、各コイル１１ａ，１１ｂに冷凍機２５から冷熱媒体（冷水）を通流させる。この際、ファンコイルユニット１０ａの調節弁１３ａは、温度センサ１７ａによって検出した室内温度ＴＲａが室内温度設定値ＴＳ１（冷房用設定値）よりも高いので図２に示すように室内温度ＴＲａに従って開度が変化し、ファンコイルユニット１０ａは室内空気を冷却する。ファンコイルユニット１０ｂも冷房モードで動作しているので、温度センサ１７ｂによって検出した室内温度ＴＲｂが室内温度設定値ＴＳ１（冷房用設定値）よりも低い場合にも図２に示すように調節弁１３ｂの開度は０％に維持され、更に、温度センサ１７ｂによって検出した室内温度ＴＲｂが室内温度設定値ＴＳ２（暖房用設定値）よりも低くなった場合にも図２に示すように調節弁１３ｂの開度は０％に維持される。従って、ファンコイルユニット１０ｂにファン１２ｂによって室内空気が流れていても室内空気は冷却されず、ファンコイルユニット１０ｂ近傍の室内空気が過度に冷却されてしまうことを抑制できる。なお、いずれか一方のファンコイルユニット１０が停止している場合には、平均値の計算を行わずに動作している方のファンコイルユニット１０の温度センサ１７によってコントローラ１８の動作モードの設定、各遮断弁３１〜３４の切換えを行う。
【００３５】
また、第２の方法は、２つのファンコイルユニット１０ａ，１０ｂの内のいずれか一方の温度センサの検出温度を優先して用いるものである。優先して用いる温度センサ１７は特定の一つの温度センサ１７である。例えば、ファンコイルユニット１０ａの温度センサ１７ａの検出した室内温度ＴＲａを優先する場合には温度センサ１７ａが特定の温度センサとなり、ファンコイルユニット１０ｂの温度センサ１７ｂで検出した室内温度ＴＲｂに拘わらず、室内温度ＴＲａによって各コントローラ１８ａ，１８ｂの動作モードの設定、各遮断弁３１〜３４の切換えを行う。この場合、ファンコイルユニット１０ａが停止している場合には、先に説明したと同様、動作している方のファンコイルユニット１０の温度センサ１７によってコントローラ１８の動作モードの設定、各遮断弁３１〜３４の切換えを行う。
【００３６】
以上、冷房運転の場合について説明したが暖房運転の場合も同様であるし、室内温度ＴＲが変化した場合の動作も先に図１〜図３を参照して説明した動作と同様である。
【００３７】
以上説明した実施形態の空調システム２００は、２つのファンコイルユニット１０ａ，１０ｂに対して、温熱媒体送り管２２、温熱媒体戻り管２３、冷熱媒体送り管２６、冷熱媒体戻り管２７、第１遮断弁３１から第４遮断弁３４が共通の構成で、各温度センサ１７ａ，１７ｂによって検出した各室内温度ＴＲａ，ＴＲｂにバラツキがある場合、各室内温度ＴＲａ，ＴＲｂの平均値ＴＲｍ、或いは特定の一つの温度センサ１７で検出した室内温度ＴＲに応じて、各コントローラ１８ａ，１８ｂの動作を全て冷房モード又は暖房モードに変更すると共に、第１遮断弁３１〜第４遮断弁３４を開閉させて各コイル１１ａ，１１ｂに供給する冷媒を冷熱媒体と温熱媒体と間で切換えるので、各コンテローラ１８ａ，１８ｂの動作モードと通流する熱媒体の種類のマッチングを図ることができ、スムースに冷房、暖房の切換えを行うことができる。これにより、温度センサ１７ａ，１７ｂによって検出した室内温度ＴＲａ，ＴＲｂのバラツキがある場合でも、過度な冷房或いは過度な暖房とならないように好適に室内温度を調整することができ、先に図１〜図３を参照して説明した空調システム１００と同様、室内或いはゾーンの温度に応じて自由に冷房、暖房を行うことができる。
【００３８】
以上、図４を参照して２つのファンコイルユニット１０ａ，１０ｂを含む空調システム２００の構成と、動作について説明したが、本発明は、３つ以上のファンコイルユニットを含む空調システムにも適用できる。この場合、先に説明したと同様、各ファンコイルユニットの各室内温度センサが検出した各室内温度が全て室内温度設定値ＴＳ１（冷房用設定値）よりも高い場合には、各コントローラを全て冷房モードで動作させ、各室内温度が全て室内温度設定値ＴＳ２（暖房用設定値）よりも低い場合には、各コントローラを全て暖房モードで動作させる。また、各室内温度センサによって検出した各室内温度に差がある場合には、各室内温度の平均値を計算し、平均室内温度ＴＲｍを全てのファンコイルユニットが配置されている室或いはゾーンの代表温度であるとして、各コントローラの動作モードの設定、及び各遮断弁３１〜３４の切換えを行うようにしてもよいし、いずれか一つの温度センサの検出温度を優先して用い、その温度センサが検出した室内温度に基づいて各コントローラの動作モードの設定、及び各遮断弁３１〜３４の切換えを行うようにしてもよい。
【符号の説明】
【００３９】
１０，１０ａ，１０ｂ  ファンコイルユニット、１１，１１ａ，１１ｂ  コイル、１２，１２ａ，１２ｂ  ファン、１３，１３ａ，１３ｂ  調節弁、１４，１４ａ，１４ｂ  熱媒体供給管、１５，１５ａ，１５ｂ  熱媒体排出管、１７，１７ａ，１７ｂ  温度センサ、１８，１８ａ，１８ｂ  コントローラ、２０  熱媒体供給装置、２１  ボイラ、２２  温熱媒体送り管、２３  温熱媒体戻り管、２５  冷凍機、２６  冷熱媒体送り管、２７  冷熱媒体戻り管、３１〜３４  遮断弁、４０  制御部、４１  データバス、１００，２００  空調システム。
【図１】
2016211825.tif 000003
【図２】
2016211825.tif 000004
【図３】
2016211825.tif 000005
【図４】
2016211825.tif 000006